(57)【要約】      （修正有）【課題】搬送時に構成部品を紛失させる虞が無く、且つ運搬に便利な燃焼炉を提供する。【解決手段】燃焼炉１は、内側に多角形の開口２１を形成した枠体２と、該枠体２の各辺部に上端部が回転可能に取り付けられて上下回動する側板３，３０と、互いに対向する第１側板３の下端部を連結する火床部４を有して構成される。枠体２は細長状の板材２０を組み合わせて構成されて、各板材２０からは受け片６が内向きに突出し、各受け片６は上端部が各板材２０の上端部から、受け片６の上端部に載置される金網の厚みに対応した距離だけ下がって形成されている。火床部４は２つの第１側板３の下端部を回転可能に連結し、２つの第２側板３０は、連結棒３３によって互いの下端部が接近離間可能に接続されている。【選択図】図４
0003186537.tif 000002
【実用新案登録請求の範囲】
【請求項１】
内側に多角形の開口を形成した枠体と、該枠体の各辺部に上端部が回転可能に取り付けられて上下回動する側板と、互いに対向する少なくとも２つの側板の下端部を連結する火床部を有して構成される燃焼炉。
【請求項２】
前記枠体は細長状の板材を組み合わせて構成されて、各板材からは受け片が内向きに突出し、各受け片は上端部が各板材の上端部から、前記受け片の上端部に載置される金網の厚みに対応した距離だけ下がって形成されている、請求項１に記載の燃焼炉。
【請求項３】
前記枠体は開口を囲むように１本のパイプを折曲し、又は複数本のパイプを組み合わせて構成される、請求項１に記載の燃焼炉。
【請求項４】
前記火床部は少なくとも２つの側板の下端部を回転可能に連結しており、他の対向する２つの側板は、連結棒によって互いの下端部が接近離間可能に接続されており、該他の対向する２つの側板は、前記連結棒の両端部に設けたストッパによって互いの下端部が開き過ぎることを規制される、請求項１乃至３の何れかに記載の燃焼炉。
【考案の詳細な説明】
【技術分野】
【０００１】
本考案は、薪等の固形燃料が載置される火床部を備え、たき火台としても用いられる燃焼炉に関する。
【背景技術】
【０００２】
近年、キャンプ場のようなアウトドアでたき火を行ったり、該たき火にてバーベキュー等の調理を行って食事をすることが流行しており、かかるたき火に用いる燃焼炉が次第に普及しつつある。かかる燃焼炉として特許文献１に示すものが提案されている。これは矩形状の開口を有して脚部となる台座と、４枚の側板から構成されて該台座の開口内に嵌まる囲み枠と、該囲み枠の底部に位置して固形燃料が載置される火床部とから構成される。囲み枠の４枚の側板は夫々、下端部が内側を向くように傾いている。隣り合う２枚の側板の一方には凸部が、他方の側板には該凸部が嵌まる位置決め孔が設けられている。凸部を位置決め孔に嵌めることにより、隣り合う２枚の側板が連結され、４枚の側板を連結させることにより囲み枠が組み立てられる。
また、隣り合う側板をヒンジ接続して構成された囲み枠も存在する。
【先行技術文献】
【特許文献】
【０００３】
【特許文献１】実用新案登録第３０９８５２４号
【考案の概要】
【考案が解決しようとする課題】
【０００４】
かかる燃焼炉はアウトドアで使用されるから、運搬し易いものが好まれる。この点では、特許文献１に記載された燃焼炉は別個の側板を組み立てることにより、囲み枠を構成することができるから、運搬に便利である。
しかし、特許文献１に記載された燃焼炉では、４枚の側板を別個に搬送するから、搬送時に側板を落下したり、紛失させる虞がある。隣り合う側板をヒンジ接続して構成された囲み枠を備えた燃焼炉では、この虞はないが、運搬時にヒンジを中心として隣り合う側板を重ねた場合、重なった状態の面積が大きくなってしまい、却って運搬に不便との問題もある。
本考案の目的は、搬送時に構成部品を紛失させる虞が無く、且つ運搬に便利な燃焼炉を提供することにある。
【課題を解決するための手段】
【０００５】
燃焼炉は、内側に多角形の開口を形成した枠体と、該枠体の各辺部に上端部が回転可能に取り付けられて上下回動する側板と、互いに対向する少なくとも２つの側板の下端部を連結する火床部を有して構成される。
前記枠体は細長状の板材を組み合わせて構成されて、各板材からは受け片が内向きに突出し、各受け片は上端部が各板材の上端部から、受け片の上端部に載置される金網の厚みに対応した距離だけ下がって形成されている。
【考案の効果】
【０００６】
１．燃焼炉の側板は、上端部が枠体の各辺部に回転可能に取り付けられているから、側板を別個に搬送することはない。従って、運搬時に側板を紛失する虞はない。また、各側板を枠体の各辺部を中心として回転させ、互いに重ねれば、重なり状態にある平板状の面積を小さくすることができ、運搬に便利である。
２．側板を重ねて枠体の内側に収納した状態で、受け片の上端部に金網を載置する。受け片の上端部を各板材の上端部から、金網の厚みに対応した距離だけ下がって形成することにより、金網を枠体の上方から突出させることなく、収容することができる。
【図面の簡単な説明】
【０００７】
【図１】燃焼炉の全体斜視図である。
【図２】燃焼炉の正面図である。
【図３】脚片を示す図である。
【図４】燃焼炉の斜視図であって、火床部に連結された２枚の側板を上向きに回転させた状態を示す
【図５】燃焼台を裏面から見た斜視図である。
【図６】(a)、(b)は、受け片と枠体の隅部を拡大して示す裏面図である。
【図７】別の燃焼炉を示す平面図である。
【考案を実施するための形態】
【０００８】
以下、本考案の一実施形態を図を用いて詳述する。
図１は、本考案に係る燃焼炉１の全体斜視図であり、図２は、燃焼炉１の正面図である。燃焼炉１はたき火台としても用いられ、また後記の如く、金網を載置してその上に食材を置きバーベキュー等の調理を行うこともできる。
燃焼炉１は、内側に矩形の開口２１を形成した枠体２と、該枠体２の各辺部に上端部が回転可能に取り付けられて互いに対向した２枚づつの第１側板３及び第２側板３０と、両第１側板３の下端部を連結する矩形板状の火床部４と、前記第１側板３の両側に回転可能に設けられた金属製の脚片５とを有して構成される。
第１側板３及び第２側板３０は何れも下端部が幅狭の台形状に形成されている。火床部４には網等(図示せず)を介して固形燃料が載置される。該固形燃料に着火することにより、燃焼炉１はたき火台として用いられる。火床部４は連結すべき第１側板３の何れか一方に、一側部が回転可能に設けられている。本実施形態では図１にて右側の第１側板３に火床部４の一側部が回転自在に取り付けられているとする。
【０００９】
枠体２は細長状の４本の板材２０を開口２１を囲むように組み合わせて構成され、該枠体２の隅部には略Ｌ字形の受け片６が内側に設けられている。即ち、受け片６は互いに対向する２本の板材２０の各端部に設けられている。第１及び第２側板３０のそれぞれの上端部両側には、耳片３１が設けられ、該耳片３１が受け片６に回動可能に取り付けられている。この取り付け箇所を、符号６５にて示す。これにより、各第１側板３及び第２側板３０は対応する板材２０の周りを上下に回動する。
【００１０】
図２に示すように、受け片６の上端部は、板材２０の上端部よりも下側に設けられ、具体的には距離ｔだけ下側に位置する。枠体２の開口２１内には、金網７を挿入することができ、該金網７は受け片６の上端部に支持される。距離ｔは金網７の厚みに対応しており、金網７は燃焼炉１の開口２１内に挿入された状態で、枠体２から突出しない。
前記の脚片５は図３に示すように、地面又は床面に接する当接棒５１と、該当接棒５１の両端部から上端が互いに接近するように斜めに傾いた支え棒５０と、各支え棒５０の上端から外向きに水平に突出した嵌合棒５２を一体に設けて構成される。両嵌合棒５２は１つの板材２０の両端部に設けられた受け片６の側面に回動可能に嵌まり、２つの支え棒５０の上端部間の距離Ｌは、両受け片６間の距離よりも長い。これにより、両嵌合棒５２が両受け片６に嵌まった状態で、各支え棒５０は弾性を持って、受け片６に接する。
【００１１】
図４は、燃焼炉１の斜視図であって、第１側板３を上向きに回転させた状態を示す。第２側板３０は、下端部が下向きに延びた折曲部３２を形成している。対向する２つの折曲部３２には孔(図示せず)が開設され、該孔に２本の連結棒３３がスライド可能に嵌まる。両第２側板３０の下端部は、連結棒３３によって、互いに接近離間可能に連結される。連結棒３３の両端部には、ストッパ３４が設けられて、両第２側板３０はストッパ３４に接するまで開くことができる。換言すれば、ストッパ３４によって両第２側板３０はそれ以上開くことを規制される。
尚、連結棒３３は１本でもよく、ストッパ３４も１本の連結棒３３にのみ設けられてもよい。また、ストッパ３４は連結棒３３の一端部のみに設けられてもよい。
燃焼炉１を使用する際には、脚片５を立てた状態で、連結棒３３によって、互いに連結された両第２側板３０を、下端部が互いに離間するように広げる。両第２側板３０はストッパ３４に接するまで開く。
その上から、火床部４を取り付けた一方の第１側板３を、取り付け箇所６５を中心として回転させ、火床部４を連結棒３３上に載置する。他方の第１側板３を取り付け箇所６５を中心として回転させれば、燃焼炉１が組み立てられる。火床部４は略水平状態となり、火床部４に網等を介して固形燃料を入れて着火し、受け片６の上に金網７を載置して該金網７の上に食材を置けば、バーベキュー等の調理を行うことができる。
【００１２】
本実施形態に係る燃焼炉１にあっては、各第１及び第２側板３、３０は、上端部が枠体２の各辺部に回転可能に取り付けられているから、各第１及び第２側板３、３０を別個に搬送することはない。従って、運搬時に第１及び第２側板３、３０を紛失する虞はない。また、各第１及び第２側板３、３０を枠体２の各辺部を中心として回転させ、互いに重ねれば、重なり状態にある平板状の面積を小さくすることができ、運搬に便利である。
また、第１及び第２側板３、３０を重ねて枠体２の内側に収納した状態で受け片６の上端部に金網７を載置する。受け片６の上端部を各板材２０の上端部から、金網７の厚みに対応した距離ｔだけ下がって形成することにより、金網７を枠体２の上方から突出させることなく、収容することができる。
【００１３】
図５は、燃焼炉１を裏面から見た斜視図であって、使用後の燃焼炉１を片付ける手順を示す。上記と逆の手順にて、両第１側板３を回転させて重ねる。第２側板３０の下端部を連結棒３３に沿って接近させる。４枚の側板３、３０は枠体２の開口２１内にて重なる。
次に、起立した脚片５を嵌合棒５２を中心として回転させて第１及び第２側板３、３０上に重ねる。図６(a)、(b)は、受け片６と枠体２の隅部を拡大して示す裏面図であり、一方の脚片５を示す。受け片６の側面には、突起６０が設けられ、該突起６０は支え棒５０が接する嵌合棒５２と略平行な係止端面６１と該係止端面６１に対して傾いた傾斜端面６２とを有して構成される。脚片５が起立状態では支え棒５０が係止端面６１に接している。
【００１４】
図６(a)に示すように、起立した脚片５の支え棒５０を弾性付勢力に抗して矢印Ｂ方向に押す。係止端面６１と支え棒５０の当接が解除される。次に、図６(b)に示すように、脚片５を嵌合棒５２を中心として内向きに回転させ、側板３、３０上に重ねる。このようにして、枠体２内に４枚の側板３、３０と脚片５とが収納される。
尚、脚片５を枠体２内に収納された状態から起立させるには、図６(b)に示す状態から、脚片５を外向きに回転させる。支え棒５０が傾斜端面６２に接して図６(a)の矢印Ｂ方向に案内され、更に外向きに回転して、係止端面６１を越えると、弾性力によって図６(a)に示す状態に達する。尚、脚片５の形状は図示した形状に限定されず、枠体２を支えることが出来る形状であればよい。
【００１５】
上記実施形態では、枠体２は４つの板材２０を組み合わせて構成されているした。しかし、これに代えて、図７に示すように、枠体２を１本のパイプ２５を折曲して枠体２を構成してもよい。また、枠体２を複数本のパイプを組み合わせて構成してもよい。
また、火床部４は一方の第１側板３に連結され、燃焼炉１に組立時に他方の第１側板３に取り付けられるとしたが、一対の第１側板３の下端部を連結したままであってもよい。更に、燃焼炉１の開口２１は、矩形であるとしたが、他の多角形でもよい。
【産業上の利用可能性】
【００１６】
本考案の内容は、携帯用の燃焼炉に適用すると有用である。
【符号の説明】
【００１７】
１    燃焼炉
２    枠体
３    第１側板
４    火床部
５    脚片
６    受け片
３０  第２側板
【図１】
0003186537.tif 000003
【図２】
0003186537.tif 000004
【図３】
0003186537.tif 000005
【図４】
0003186537.tif 000006
【図５】
0003186537.tif 000007
【図６】
0003186537.tif 000008
【図７】
0003186537.tif 000009